(57)【要約】【課題】基板に対して熱処理を行う基板処理装置を提供する。【解決手段】本発明の基板処理装置は、基板に対して熱処理を行う空間を有する熱処理チャンバ１００と、熱処理空間において基板を支持する基板支持台２００と、基板支持台に向かってガスを噴射するガス噴射器３００と、熱エネルギーを発生させる加熱ランプと、加熱ランプにおいて発生される熱エネルギーを基板支持台に向かって透過させるウィンドウ５００と、加熱ランプとガス噴射器との間にウィンドウを配設して、基板支持台に近い順にガス噴射器と、ウィンドウ及び加熱ランプをこの順に配置する係合手段を有する加熱ブロック４００とを備える。【選択図】図３
2015119181.tif 000002
【特許請求の範囲】
【請求項１】
基板に対して熱処理を行う空間を有する熱処理チャンバと、
前記熱処理空間において前記基板を支持する基板支持台と、
前記基板支持台に向かってガスを噴射するガス噴射器と、
熱エネルギーを発生させる加熱ランプと、
前記加熱ランプにおいて発生される熱エネルギーを前記基板支持台に向かって透過させるウィンドウと、
前記加熱ランプと前記ガス噴射器との間に前記ウィンドウを配設して、前記基板支持台に近い順に前記ガス噴射器と、前記ウィンドウ及び前記加熱ランプをこの順に配置する係合手段を有する加熱ブロックと、
を備える基板処理装置。
【請求項２】
前記加熱ブロックは、
前記基板支持台と向かい合うランプ取付面に埋め込まれる複数の加熱ランプを有する加熱ブロックハウジングと、
前記ランプ取付面の下側に設けられて前記ウィンドウを固定するウィンドウ固定体と、
前記ウィンドウ固定体の下側に設けられて前記ガス噴射器を固定するガス噴射器固定体と、
を備える請求項１に記載の基板処理装置。
【請求項３】
前記ウィンドウ固定体及び前記ガス噴射器固定体は、リング状の固定体であるクランプリングによりそれぞれ実現される請求項２に記載の基板処理装置。
【請求項４】
Ｘ軸、Ｙ軸及びＺ軸が互いに直角をなすとしたとき、前記ランプ取付面をＸＹ面とし、前記ガス噴射器と、前記ウィンドウ及び前記加熱ランプがこの順に配置される方向をＺ軸方向とし、
前記ガス噴射器は、多数のガス噴射口を有する少なくとも一つ以上のノズルラインを備え、前記ノズルラインが前記加熱ランプと重なり合わないように配置する請求項２に記載の基板処理装置。
【請求項５】
前記ノズルラインは、前記Ｘ軸、前記Ｙ軸及び対角線のうちの少なくともいずれか一つ以上の方向に形成される直線形ノズルラインを含む請求項４に記載の基板処理装置。
【請求項６】
前記ガス噴射器は、
前記ガス噴射器固定体に結合される横辺及び縦辺を有する四角リング状の固定フレームと、
前記固定フレーム内に形成される固定フレームガス流路と、
前記固定フレームの横辺同士を連結するか、あるいは、前記固定フレームの縦辺同士を連結し、多数のガス噴射口が形成される直線形ノズルラインと、
前記直線形ノズルライン内に形成されて、前記固定フレームガス流路と連結されるノズルラインガス流路と、
前記固定フレームガス流路に連結されて、外部からガスが流入するガス流入ポートと、
を備える請求項５に記載の基板処理装置。
【請求項７】
前記ノズルラインは、円形状に形成される円形ノズルラインを含む請求項４に記載の基板処理装置。
【請求項８】
前記ランプ取付面に刻設される複数のランプ取付溝を備え、前記ランプ取付溝に前記加熱ランプがそれぞれ配設される請求項７に記載の基板処理装置。
【請求項９】
前記円形ノズルラインは、前記ランプ取付溝の周縁に沿って形成される請求項８に記載の基板処理装置。
【発明の詳細な説明】
【技術分野】
【０００１】
本発明は、基板処理装置に係り、さらに詳しくは、基板に対して熱処理を行う基板処理装置に関する。
【背景技術】
【０００２】
半導体、ディスプレイなどの様々な工程において熱処理は欠かせない必須過程である。オーミックコンタクト合金化（ｏｈｍｉｃ ｃｏｎｔａｃｔ ａｌｌｏｙｉｎｇ）、イオン打込み損傷アニーリング（ｉｏｎ−ｉｍｐｌａｎｔａｔｉｏｎ ｄａｍａｇｅ ａｎｎｅａｌｉｎｇ）、不純物活性化（ｄｏｐａｎｔ ａｃｔｉｖａｔｉｏｎ）、ＴｉＮ、ＴｉＳｉ2、ＣｏＳｉ2などの薄膜形成などが熱処理を必要とする工程である。
【０００３】
このような熱処理を行う装備としては、ファーネス（ｆｕｒｎａｃｅ）及び急速熱処理（Ｒａｐｉｄ Ｔｈｅｒｍａｌ Ｐｒｏｃｅｓｓ；ＲＴＰ）装置が挙げられる。急速熱処理装置は、基板全体の温度を均一に維持したり、基板を取り替える度に他の基板に対しても同じ温度−時間特性を維持したり、基板の温度を正確に測定及び制御したりすることが困難であるため大きな脚光を浴びていなかったが、最近、温度測定技術及び温度制御技術が進歩するに伴い、急速熱処理装置がファーネスに取って代わっている。
【０００４】
図１は、熱処理を行う基板処理装置の構成ブロック図である。
【０００５】
熱処理を行う基板処理装置は、タングステンハロゲンランプの輻射光線を用いて基板Ｓに熱を伝える。このため、熱処理を行う基板処理装置は加熱ブロック１０を備え、基板Ｓと向かい合う加熱ブロック１０の対向面には複数の加熱ランプ１１が設けられている。また、熱処理チャンバ２０は、基板支持台５０と、基板を昇降させるリフトピン５１と、を備え、ゲート６０を介して基板Ｓを搬入または搬出する。熱処理チャンバ２０の内側にはガスを噴射するガス噴射器４０及びガスを排気する排気口７０が配設される。
【０００６】
熱処理チャンバ２０と加熱ブロック１０との間には透明な石英製のウィンドウ３０が配設され、加熱ブロック１０内の加熱ランプ１１及び熱処理チャンバ２０内のガス噴射器４０がウィンドウ３０によって分離されている。ウィンドウ３０は、加熱ブロック１０の下側に配設された熱処理チャンバ２０内に汚染物質であるパーティクルが流入することを防ぐとともに、上側に配設された加熱ブロック１０内の加熱ランプ１１の熱エネルギーを下側に通過させて基板に伝えている。
【０００７】
このように熱処理を行う既存の基板処理装置は、ガス噴射器４０が熱処理チャンバ２０内の一方の側に配設されて単方向にガスを噴射しているため、ガスが均一に供給されないという問題がある。また、図２に示すように、熱処理チャンバ２０内の領域別にガスの温度差が発生し、その結果、熱処理工程に影響が及ぼされるという問題がある。特に、アクティブマトリクス式有機発光ダイオード（ＡＭＯＬＥＤ：Ａｃｔｉｖｅ Ｍａｔｒｉｘ Ｏｒｇａｎｉｃ Ｌｉｇｈｔ Ｅｍｉｔｔｉｎｇ Ｄｉｏｄｅ）、太陽光、 発光ダイオード（ＬＥＤ）、半導体などを製造するための大面積急速熱処理装置の場合、８０℃〜８５０℃の温度下で均一に熱処理せねばならないが、これは、熱処理チャンバ２０内の温度ばらつきの原因になるという問題がある。
【０００８】
また、ガス噴射器４０が熱処理チャンバ２０内に配設されるため、熱処理対象体である基板Ｓが破損するときにガス噴射器４０が損傷されてしまうという問題がある。さらに、ガス噴射器４０が熱処理チャンバ２０の内側に配設されるため、ガス噴射器４０が洗浄し難いという問題がある。
【先行技術文献】
【特許文献】
【０００９】
【特許文献１】大韓民国登録特許第１０３１２２６号
【発明の概要】
【発明が解決しようとする課題】
【００１０】
本発明は上記の問題を解消するために案出されたものであり、その目的は、熱処理チャンバ内の領域別に温度差が発生することを防ぐことのできる基板処理装置を提供するところにある。
【００１１】
また、本発明の他の目的は、ガスの均一度及びチャンバ内の温度の均一度を向上させることのできる基板処理装置を提供するところにある。
【００１２】
さらに、本発明のさらに他の目的は、基板処理装置に配設されるガス噴射器を熱処理チャンバの内側ではなく、別途の領域に設けて簡単に洗浄を行うことのできる基板処理装置を提供するところにある。
【課題を解決するための手段】
【００１３】
上記の目的を達成するために、本発明の実施形態に係る基板処理装置は、基板に対して熱処理を行う空間を有する熱処理チャンバと、前記熱処理空間において前記基板を支持する基板支持台と、前記基板支持台に向かってガスを噴射するガス噴射器と、熱エネルギーを発生させる加熱ランプと、前記加熱ランプにおいて発生される熱エネルギーを前記基板支持台に向かって透過させるウィンドウと、前記加熱ランプとガス噴射器との間に前記ウィンドウを配設して、前記基板支持台に近い順に前記ガス噴射器と、ウィンドウ及び加熱ランプをこの順に配置する係合手段を有する加熱ブロックと、を備える。
【００１４】
好ましくは、前記加熱ブロックは、前記基板支持台と向かい合うランプ取付面に埋め込まれる複数の加熱ランプを有する加熱ブロックハウジングと、前記ランプ取付面の下側に設けられて前記ウィンドウを固定するウィンドウ固定体と、前記ウィンドウ固定体の下側に設けられて前記ガス噴射器を固定するガス噴射器固定体と、を備える。
【００１５】
また、好ましくは、前記ウィンドウ固定体及びガス噴射器固定体は、リング状の固定体であるクランプリングによりそれぞれ実現される。
【００１６】
さらに、好ましくは、Ｘ軸、Ｙ軸及びＺ軸が互いに直角をなすとしたとき、前記ランプ取付面をＸＹ面とし、前記ガス噴射器と、ウィンドウ及び加熱ランプがこの順に配置される方向をＺ軸方向とし、前記ガス噴射器は、多数のガス噴射口を有する少なくとも一つ以上のノズルラインを備え、前記ノズルラインが前記加熱ランプと重なり合わないように配置する。
【００１７】
さらに、好ましくは、前記ノズルラインは、前記Ｘ軸、前記Ｙ軸及び対角線のうちの少なくともいずれか一つ以上の方向に形成される直線形ノズルラインを含む。
【００１８】
さらに、好ましくは、前記ガス噴射器は、前記ガス噴射器固定体に結合される横辺及び縦辺を有する四角リング状の固定フレームと、前記固定フレーム内に形成される固定フレームガス流路と、前記固定フレームの横辺同士を連結するか、あるいは、前記固定フレームの縦辺同士を連結し、多数のガス噴射口が形成される直線形ノズルラインと、前記直線形ノズルライン内に形成されて、前記固定フレームガス流路と連結されるノズルラインガス流路と、前記固定フレームガス流路に連結されて、外部からガスが流入するガス流入ポートと、を備える。
【００１９】
さらに、好ましくは、前記ノズルラインは、円形状に形成される円形ノズルラインを含む。
【００２０】
さらに、好ましくは、前記ランプ取付面に刻設される複数のランプ取付溝を備え、前記ランプ取付溝に前記加熱ランプがそれぞれ配設される。
【００２１】
さらに、好ましくは、前記円形ノズルラインは、前記ランプ取付溝の周縁に沿って形成される。
【発明の効果】
【００２２】
本発明の実施形態によれば、ガス噴射器を熱処理チャンバの上部の加熱ブロックに設けることにより、熱処理チャンバ内のガス噴射の均一度及び領域別の温度の均一度を向上させることができる。また、本発明の実施形態によれば、加熱ブロックにガス噴射器を設けることにより、ガス噴射器の洗浄を簡単に行うことができる。
【図面の簡単な説明】
【００２３】
【図１】熱処理を行う基板処理装置の構成ブロック図である。
【図２】熱処理チャンバ内の領域別にガスの温度差が発生する様子を示す図である。
【図３】本発明の実施形態により熱処理を行う基板処理装置の断面図である。
【図４】本発明の実施形態による加熱ランプを示す図である。
【図５】本発明の実施形態によりランプ取付面を下から眺めたときの加熱ランプ及びガス噴射器の配置様子を示す図である。
【図６】本発明の実施形態によりウィンドウ固定クランプリングにウィンドウが係合された様子を示す図である。
【図７】本発明の実施形態によりガス噴射器固定クランプリングにガス噴射器が係合された様子を示す図である。
【図８】本発明の実施形態による直線形ノズルラインを有するガス噴射器におけるガス流路を示す透視図である。
【図９】本発明の実施形態による円形ノズルラインを有するガス噴射器におけるガス流路を示す透視図である。
【図１０】本発明の他の実施形態による円形ノズルラインを有するガス噴射器におけるガス流路を示す透視図である。
【発明を実施するための形態】
【００２４】
以下、添付図面に基づき、本発明の好適な実施形態についてより詳細に詳述する。しかしながら、本発明は以下に開示される実施形態に限定されるものではなく、異なる様々な形態に具体化可能であり、単に、これらの実施形態は、本発明の開示を完全たるものにし、本発明の属する技術の分野における通常の知識を有する者に発明の範囲を完全に知らせるために提供されるものである。なお、図中、同じ符号は同じ構成要素を示す。
【００２５】
図３は、本発明の実施形態により熱処理を行う基板処理装置の断面図であり、図４は、本発明の実施形態による加熱ランプを示す図であり、図５は、本発明の実施形態によりランプ取付面を下から眺めたときの加熱ランプ及びガス噴射器の配置様子を示す図であり、図６は、本発明の実施形態によりウィンドウ固定クランプリングにウィンドウが係合された様子を示す図であり、図７は、本発明の実施形態によりガス噴射器固定クランプリングにガス噴射器が係合された様子を示す図であり、図８は、本発明の実施形態による直線形ノズルラインを有するガス噴射器におけるガス流路を示す透視図であり、図９は、本発明の実施形態による円形ノズルラインを有するガス噴射器におけるガス流路を示す透視図であり、図１０は、本発明の他の実施形態による円形ノズルラインを有するガス噴射器におけるガス流路を示す透視図である。
【００２６】
熱処理チャンバ１００は内部空間を有するが、このような内部空間は、熱処理対象となる基板Ｓに対して熱処理が行われる熱処理空間である。このような熱処理空間の内部に基板が載置される。このために、熱処理チャンバ１００は中空の密閉された四角筒状に製作されるが、本発明はこれに何ら限定されることなく、様々な筒状、すなわち、円筒状や多角筒状に製作可能である。また、熱処理チャンバ１００の一方の面及び他方の面のそれぞれには基板の出入りのためのゲート１１０が設けられ、ゲートは基板搬送モジュール（図示せず）に連結される。
【００２７】
熱処理チャンバ１００は、内側に基板を支持する基板支持台２００を備える。基板支持台２００は様々な形状を呈する。また、基板支持台２００がエッジリングにより実現される場合、エッジリングは、熱処理空間の内部における加熱ブロック４００との対向位置に基板を載置する。基板支持台２００は、昇降力を提供する手段、例えば、シリンダに連結される。なお、ここで、基板支持台２００は、内部に垂直方向に移動する複数のリフトピン２１０を備える。
【００２８】
ところが、本発明はこれに何ら限定されるものではなく、基板を基板支持台２００に支持可能なものであれば、様々な手段、例えば、静電気力（静電チャック）または真空吸着力を利用する手段が基板支持台２００として採用可能である。参考までに、基板Ｓは、アクティブマトリクス式有機発光ダイオード（ＡＭＯＬＥＤ）、太陽光、発光ダイオード（ＬＥＤ）、半導体など工程上熱処理を必要とする熱処理対象体である。
【００２９】
加熱ブロック４００は、熱エネルギーを発生させる多数の加熱ランプ６００を備えて、向かい合う下側に置かれた基板を加熱する。加熱ブロック４００は、上部扉状を呈し、熱処理チャンバ１００の上側に配設されて熱処理チャンバ１００の上部を密閉して、外部環境（圧力、汚染物質）から熱処理チャンバ１００を保護する。加熱ブロック４００は、基板支持台２００に向かってガスを噴射するガス噴射器３００と、熱エネルギーを発生させる加熱ランプ６００と、前記加熱ランプ６００とガス噴射器３００との間に配設されるウィンドウ５００と、を備え、基板支持台２００に近い順にガス噴射器３００と、ウィンドウ５００及び加熱ランプ６００をこの順に配置する。すなわち、Ｘ軸、Ｙ軸、Ｚ軸が互いに直角をなすとしたとき、ランプ取付面４１０ａをＸＹ面とし、ガス噴射器３００と、ウィンドウ５００及び加熱ランプ６００がこの順に配置される方向をＺ軸方向とする。このため、ガス噴射器３００が基板支持台２００に最も近く配置され、加熱ランプ６００が基板支持台２００から最も遠く配置される。ガス噴射器３００が加熱ブロック４００に配設されるので、熱処理チャンバ１００内にガス噴射器３００が配設されるときの破損危険やガス噴射の不均一性の従来の問題を解消することができる。
【００３０】
加熱ブロックは、加熱ランプとガス噴射器との間に配設されるウィンドウを備えて、基板支持台に近い順に前記ガス噴射器と、ウィンドウ及び加熱ランプをこの順に配置する係合手段を備える。このために、加熱ブロック４００は、係合手段として、加熱ランプが取り付けられる加熱ブロックハウジング４１０を備え、ウィンドウを係合するウィンドウ固定体４２０と、加熱ブロックを係合するガス噴射器固定体４３０と、を備える。
【００３１】
加熱ブロックハウジング４１０は、上部面４１０ｂと、下部面４１０ａ及び側壁面４１０ｃを有するハウジングであり、基板支持台２００と向かい合う下部面４１０ａ（以下、「ランプ取付面」と称する。）に刻設された複数のランプ取付溝４０１を備える。各ランプ取付溝４０１には加熱ランプ６００がそれぞれ取り付けられる。ランプ取付溝４０１への加熱ランプ６００の取り付けは、加熱ブロックハウジング４１０の上部面４１０ｂに設けられた嵌入口（図示せず）を介して行われる。
【００３２】
加熱ランプ６００は、輻射熱を用いて熱処理空間内に配設される基板Ｓを加熱する。加熱ランプ６００への供給電力を増大することにより、熱処理温度を、例えば、約８０℃〜８５０℃に維持する。参考までに、ランプ取付溝４１０に取り付けられる加熱ランプ６００は、図４に示すように、フィラメントを内部に備えて輻射熱を透過させるランプ胴体６３０と、ランプ胴体６３０を固定するランプ支持部６２０と、ランプ支持部６２０に接続されて外部電源が印加されるランプソケット６１０と、を備える。
【００３３】
ランプ胴体６３０は、中空管状（すなわち、チューブ状）、例えば、Ｔ字状や直線形チューブ状に製作されることが好ましい。もちろん、本発明はこれに何ら限定されるものではなく、曲線状、円形帯状または楕円形帯状に製作可能である。また、ランプ胴体６３０は、ガラスまたは石英を用いて製作する。これにより、輻射熱を損失なしに透過させることができる。なお、ランプ胴体６３０の内部には不活性ガス（例えば、ハロゲン、アルゴン）が充填されることが好ましい。
【００３４】
また、加熱ランプ６００は、図４に示すように、ランプ胴体６３０と、ランプ支持部６２０及びランプソケット６１０が取り外し可能な構造を有するが、本発明はこれに何ら限定されるものではなく、別途のランプソケット６１０なしに外部から電源が印加されるランプ支持部６２０及びランプ胴体６３０が一体に形成される構造を有していてもよい。参考までに、加熱ランプ６００は、加熱ブロック４００のランプ取付面４００ａの反対側の面に形成された加熱ランプ嵌入口（図示せず）を介して着脱される。
【００３５】
ウィンドウ固定体４２０はランプ取付面４１０ａの下側に設けられてウィンドウ５００を固定する。ウィンドウ固定体４２０に固定されるウィンドウ５００の材質としては、石英など光を透過させるものが採用可能である。ウィンドウ５００の材質として石英を採用する場合、加熱ランプ６００の主な波長帯域である１μｍ〜４μｍの光波長を９０％以上透過させて基板支持台に載置された基板に伝える。また、ウィンドウ５００は、加熱ランプ６００の光エネルギーを透過させるとともに、汚染物質であるパーティクルがランプ取付面４１０ａから基板に落下することを防ぐ。このために、ウィンドウ５００は、加熱ランプ６００とガス噴射器３００との間に配設される。
【００３６】
ウィンドウ固定体４２０は、リング状の固定体であるクランプリング（以下、ウィンドウ固定クランプリングと称する。）により実現されてランプ取付面４１０ａの下側に設けられる。すなわち、図６に示すように、ウィンドウ固定クランプリングのウィンドウ固定体４２０は、段差面４２０ａ（以下、「ウィンドウ載置面」と称する。）を有し、ウィンドウ載置面４２０ａにウィンドウ５００が載置されて係合される。このとき、ウィンドウ載置面４２０ａへのウィンドウ５００の係合は、ウィンドウ載置面４２０ａにウィンドウ５００が貼着されて行われてもよく、ウィンドウ載置面４２０ａにウィンドウ５００を係合する別途の係合手段（図示せず）が配設されてこの別途の係合手段（図示せず）により行われてもよい。
【００３７】
ガス噴射器固定体４３０はウィンドウ固定体４２０の下側に設けられてガス噴射器３００を固定する。ガス噴射器固定体４３０は別途の係合手段（図示せず）によりウィンドウ固定体４２０に係合されてもよく、ウィンドウ固定体４２０とガス噴射器固定体４３０を一体形の金型フレームとして製作してもよい。
【００３８】
ガス噴射器固定体４３０もまたリング状の固定体であるクランプリング（以下、「ガス噴射器固定クランプリング」と称する。）により実現されてウィンドウ固定体４２０の下側に設けられる。すなわち、図７に示すように、ガス噴射器固定クランプリングは段差面４３０ａ（以下、「ガス噴射器載置面」と称する。）を有し、ガス噴射器載置面４３０ａにガス噴射器３００が載置されて係合される。このとき、ガス噴射器載置面４３０ａへのガス噴射器３００の係合は、ガス噴射器載置面４３０ａにガス噴射器３００が貼着されて行われてもよく、ガス噴射器載置面４３０ａにガス噴射器３００を係合する別途の係合手段（図示せず）が配設されてこの別途の係合手段（図示せず）により行われてもよい。
【００３９】
ガス噴射器固定体４３０に係合されるガス噴射器３００は、熱処理空間内の基板支持台２００と向かい合うように配設されて基板支持台２００に向かってガスを噴射する。すなわち、ガス噴射器３００は、熱処理が行われるときの雰囲気ガス、例えば、Ｎ2ガスを熱処理空間に噴射する。参考までに、熱処理チャンバ１００内の熱処理空間に噴射されたガスは、熱処理チャンバ１００に形成された排気口を介して外部に排出される。
【００４０】
ガス噴射器３００は、図５に示すように、多数のガス噴射口３１１を有する少なくとも一つ以上のノズルライン３１０を備え、前記ノズルライン３１０が加熱ランプ６００とＺ側方向から眺めたときに重なり合わないように配置する。ノズルライン３１０を加熱ランプ６００が配置されるラインと重なり合わないように配置することにより、加熱ランプ６００から発せられる光が妨げられることなく基板に達する。
【００４１】
ノズルラインは、２種類、すなわち、直線形及び円形に配置されるが、図８は、直線形ノズルラインを示す図であり、図９及び図１０は、円形ノズルラインを示す図である。Ｘ軸またはＹ軸の方向に形成された直線形ノズルラインを示す図８を参照すると、直線形ノズルライン３１０ａとは、Ｘ軸及びＹ軸のうちの少なくともいずれか一方以上の方向に直線状に形成されるノズルのことをいう。すなわち、直線形ノズルライン３１０ａを有するガス噴射器３００は、ガス噴射器固定体に結合される横辺及び縦辺を有する四角リング状の固定フレーム３２０と、固定フレーム３２０内に形成された固定フレームガス流路３２２と、固定フレームの横辺同士または前記固定フレームの縦辺同士を連結し、多数のガス噴射口３１１が形成された直線形ノズルライン３１０ａと、直線形ノズルライン３１０ａ内に形成されて固定フレームガス流路３２２と連結されるノズルラインガス流路３１２と、固定フレームガス流路３２２に連結されて外部からガスが流入するガス流入ポート３２５と、を備える。このため、ガス流入ポート３２５を介して流入したガスは、固定フレームガス流路３２２及びノズルラインガス流路３１２を順次に経てガス噴射口３１１を介して基板支持台２００に向かって噴射される。
【００４２】
一方、ノズルラインが円形ノズルラインを含む場合、図９に示すように、円形ノズルライン３１０ｂが加熱ランプ６００とＺ軸方向において重なり合わない。
【００４３】
加えて、他の方式によりノズルラインが円形に形成される場合、図１０に示すように、ランプ取付溝４０１の周縁に沿ってノズルライン３１０ｂ（円形ノズルライン）が取り付けられる。このような円形ノズルライン３１０ｂには、同様に、多数のガス噴射口及びノズルラインガス流路が形成され、ガス噴射口３１１を介してガスを噴射する。参考までに、円形ノズルライン３１０ｂ及び固定フレーム３２０を連結する連結ライン３１０ｃが付設され、この場合、連結ライン３１０ｃ内にガス流路が形成されなければならないということはいうまでもない。
【００４４】
以上、添付図面及び上述した好適な実施形態を参照して、本発明に係る基板処理装置について詳細に説明したが、本発明はこれに何ら限定されるものではなく、後述する特許請求の範囲によって限定される。よって、この技術分野における通常の知識を有する者であれば、後述する特許請求の範囲の技術的思想から逸脱しない範囲内において本発明を種々に変形及び修正することができる筈である。
【符号の説明】
【００４５】
１００：熱処理チャンバ
２００：基板支持台
３００：ガス噴射器
４００：加熱ブロック
４１０：加熱ブロックハウジング
４２０：ウィンドウ固定体
４３０：ガス噴射器固定体
５００：ウィンドウ
６００：加熱ランプ
【図１】
2015119181.tif 000003
【図２】
2015119181.tif 000004
【図３】
2015119181.tif 000005
【図４】
2015119181.tif 000006
【図５】
2015119181.tif 000007
【図６】
2015119181.tif 000008
【図７】
2015119181.tif 000009
【図８】
2015119181.tif 000010
【図９】
2015119181.tif 000011
【図１０】
2015119181.tif 000012